(57)【要約】【課題】  記録装置に巻き取り装置を装着したまま、巻き取り装置を使用せずに印刷後の記録媒体をバスケットに収容しようとした場合、記録媒体の印刷面が巻き取り装置に接触したりして印刷品位を落とすことがある。【解決手段】  印刷後の記録媒体を収容するバスケットが巻き取り装置の外側で排紙入口より奥側の方が狭くなっている袋形状をしており、排紙アシスト部材とオーバーハングさせて配置することで、印刷後の記録媒体を巻き取り装置と接触することなく排出しバスケットに収容させる。【選択図】  図１
2006206224.tif 000002
【特許請求の範囲】
【請求項１】
記録媒体に画像を形成し、所定方向に延びる排紙口から記録媒体を排出する画像形成装置における、前記排紙口から排出されて排紙ガイドに案内され降下してくる記録媒体を収容する記録媒体収容装置において、前記記録媒体の印刷面を受ける面と、その面に対向する非印刷面を覆う面を備えており、非印刷面を覆う面は前記排紙ガイドから伸びている排紙アシスト部材とオーバーハングしていることを特徴とする記録媒体収容装置。
【請求項２】
前記記録媒体収容装置は袋形状をしており、前記記録媒体を収容する間口より奥側の方が狭くなっている事を特徴とする請求項１記載の記録媒体収容装置。
【請求項３】
前記記録媒体収容装置は、ロール状の記録媒体を連続して印刷する為の巻き取り装置の外側で袋状になっていることを特徴とする請求項１記載の記録媒体収容装置。
【発明の詳細な説明】
【技術分野】
【０００１】
本発明は、記録装置や画像形成装置から排出される記録媒体を収容する記録媒体収容装置に関し、特に、大判（Ａ０サイズやＢ０サイズなど）の記録媒体を収容するのに好適な記録媒体収容装置に関する。
【背景技術】
【０００２】
コンピュータやワークステーションの出力装置として、所定の搬送方向に搬送される記録媒体にインクを吐出して画像を形成するインクジェット方式画像形成装置が知られている。このインクジェット方式画像形成装置は、通常、インクを吐出する複数のインク吐出口が形成されたインク吐出面を有する印字ヘッドと、この印字ヘッドを搭載して所定の主走査方向に往復動するキャリッジと、この主走査方向に直交する副走査方向（上記した所定の搬送方向と同じ方向）に記録媒体を搬送する搬送装置とを備えている。
【０００３】
記録媒体に画像を形成する際は、搬送装置で搬送中の記録媒体を一時的に停止させ、キャリッジを上記の主走査方向に往復動させながら、画像情報を担持した画像信号に基づいてインク吐出口からインクを吐出し、記録媒体のうちインク吐出口に向き合う画像形成領域に位置する部分に１バンド分の画像を形成する。その後、紙を１バンド分の幅だけ搬送して再び停止させ、キャリッジを主走査方向に往復動させながら、画像信号に基づいてインク吐出口からインクを吐出し、記録媒体のうち画像形成領域に新たに位置する部分に画像を形成する。このような動作を繰り返すことにより記録媒体の全面に画像を形成する。
【０００４】
上記したインクジェット方式画像形成装置には、画像が形成された記録媒体を排出するための排紙口が形成されている。排紙口の下方には、通常、この排紙口から排出された記録媒体が収容される記録媒体収容装置が配置されている（例えば、特許文献１参照。）。
【０００５】
以下、図５を参照して、従来の記録媒体収容装置について説明する。
【０００６】
図５は、従来の記録媒体収容装置が取り付けられたインクジェット方式画像形成装置を示す斜視図である。
【０００７】
記録装置１０などの画像形成装置がスタンド２０の上部に固定されている。記録装置１０には、画像の形成され終った記録媒体が排出される排紙口１２が形成されている。排紙口１２から排出された記録媒体は排紙ガイド１４に案内されて降下し、排紙口１２の下方に配置された記録媒体収容装置３０に収容される。
【０００８】
記録媒体収容装置３０はシート材で前アーム３１と後アーム３２で保持され、袋形状をしている。
【０００９】
排紙口１２から排出された記録媒体は、排紙ガイド１４に案内されて記録媒体収容装置３０に到達する。記録媒体収容装置３０に入り込んだ記録媒体は、記録媒体収容装置３０に沿って進んでいき、画像形成が終わった後、図示していないカッターで記録媒体後端を切断する。この時カール癖のある記録媒体を使った場合は、記録媒体の後端が記録装置１０から離れて落下する際に、そのカール癖によって円筒状に巻かれながら記録媒体収容装置３０に収容される。
【００１０】
また、ロール紙を切断せず連続して印刷する時を図３を用いて説明する。図３は右側面図であり、説明に不要な部分は不図示にしている。図３のように連続して印刷する時は記録媒体収容装置３０、前後アーム３１、３２を取り外して、巻き取り装置４０を使用する。巻き取り装置４０を使用する時は印刷する前に、予め記録媒体Ｓを一定距離排出しておき、巻き取り装置４０に固定された紙管４１に記録媒体Ｓの先端を固定する。この時に、巻き取られる記録媒体Ｓにテンションを持たせる為にウェイト４２をセットする。そして、印刷が始まると、記録媒体Ｓが押し出されて、ウェイト４２が降下する。すると、不図示の巻き取りセンサーがウェイト４２の下端を検知し、巻き取り装置４０が矢印方向に回転し記録媒体Ｓはウェイト４２の下端がセンサーを切るまで巻き取られる。
【００１１】
カット紙やロール紙を切断する時は再び、記録媒体収容装置３０、前後アーム３１、３２を取り付けて使用する。
【特許文献１】特開２００１−００２３０７号公報（図１１）
【発明の開示】
【発明が解決しようとする課題】
【００１２】
しかしながら、剛性の強いロール状の記録媒体を印刷した場合に、図４のＳ１に示すように排紙アシスト部材１５を超えた後、強い巻き癖により巻き取り装置４０の方向に進んで行き、印刷面が巻き取り装置に接触し、印刷画像を傷付ける事があった。また、記録媒体先端が記録媒体収容装置３０に沿って進んで行っても、切断した後、Ｓ２に示すように記録媒体収容装置３０内に大きく丸まり、その際に、印刷面が巻き取り装置に接触し、印刷画像を傷付ける事があった。そのために、記録媒体収容装置３０を使用する時には巻き取り装置４０を取り外す必要があり、作業性が悪いという問題があった。
【課題を解決するための手段】
【００１３】
そこで、本発明では排出された記録媒体が巻き取り装置に接触しないように、以下の記録媒体収容装置を提案する。
【００１４】
記録媒体に画像を形成し、所定方向に延びる排紙口から記録媒体を排出する画像形成装置における、前記排紙口から排出されて降下してくる記録媒体を収容する記録媒体収容装置において、前記記録媒体の印刷面を受ける面と、その面に対向する非印刷面を覆う面を備えており、非印刷面を覆う面は前記排紙口から伸びている排紙アシスト部材とオーバーハングしていることを特徴とする。
【００１５】
また、前記記録媒体収容装置は袋状になっており、前記記録媒体を収容する間口より奥側の方が狭くなっている事を特徴とする。
【００１６】
また、前記記録媒体収容装置は、ロール状の記録媒体を連続して印刷する為の巻き取り装置の外側で袋状になっていることを特徴とする。
【発明の効果】
【００１７】
本発明により、剛性の強いロール状の記録媒体を印刷した場合でも、巻き取り装置と接触することなく排出することができるので、巻き取り装置を取り外すことなく記録媒体収容装置を使用することができる。
【発明を実施するための最良の形態】
【００１８】
以下、図面を参照して本発明の記録媒体収容装置の実施の形態を説明する。
【実施例１】
【００１９】
図１は本実施例の記録媒体収容装置が取り付けられた記録装置の斜視図である。
【００２０】
スタンド５０の上部には記録装置１０などの画像形成装置が固定されている。記録装置１０には、画像の形成され終わった記録媒体が排出される排紙口１２が形成されている。排紙口１２から排出された記録媒体は排紙ガイド１４に案内されて降下し、排紙口１２の下方に配置された記録媒体収容装置６０に収納される。また、ロール状の記録媒体を印刷後、切断せずに紙管に巻き取る巻き取り装置４０はスタンド５０に装備されている。なお、記録装置１０と記録媒体収容装置６０は別体のユニットである。
【００２１】
また、記録装置１０は、この記録装置１０を操作するための操作部１６を備えており、この操作部１６に設置された各種のスイッチ等により、紙サイズ、オンライン／オフライン、コマンドなどが指示される。記録装置１０の内部には、インクを吐出する複数のインク吐出口が形成された印字ヘッドと、この印字ヘッドを搭載して主走査方向に往復動するキャリッジとが備えられている。印字ヘッドにより画像の形成された部分は排紙口１２を通って排紙ガイド１４に案内されて降下し、記録媒体収容装置６０に収容される。排紙ガイド１４には排出された記録媒体が巻き癖により記録装置１０内部に入り込むのを防止する排紙アシスト部材１５を備えている。記録媒体収容装置６０は布等のシート材で前アーム６１と後ホルダー６２で保持され形成されている。
【００２２】
図２は右側面図で記録媒体収容装置６０の形状が分かり易いように、右脚、前アーム６１、後ホルダー６２は不図示にしてある。
【００２３】
記録媒体収容装置６０は印字面を受ける面６０Ａとその面に対向する非印字面を覆う面６０Ｂを備えており、非印字面を覆う面６０Ｂは排紙アシスト部材１５とオーバーハングしており、記録媒体の巻き癖で記録装置１０の下部の巻き取り装置側に入り込むのを防止している。
【００２４】
また、記録媒体収容装置６０は巻き取り装置４０の外側で袋状になっており、排出された記録媒体の入口より奥側の方が狭くなっており、図のように記録媒体Ｓの先端が丸まるのを防止している。
【図面の簡単な説明】
【００２５】
【図１】本発明が適用された記録媒体収容装置を取り付けた記録装置の斜視図である。
【図２】図１の記録装置の側面図である。
【図３】巻き取り装置使用時の記録装置を示す側面図である。
【図４】従来の記録装置と排出された記録媒体の状態を示す側面図である。
【図５】従来の記録媒体収容装置が取り付けられた記録装置の斜視図である。
【符号の説明】
【００２６】
１０  記録装置
４０  巻き取り装置
５０  スタンド
６０  記録媒体収容装置
【図１】
2006206224.tif 000003
【図２】
2006206224.tif 000004
【図３】
2006206224.tif 000005
【図４】
2006206224.tif 000006
【図５】
2006206224.tif 000007